(57)【要約】      （修正有）【課題】簡単に持ち運べるので便利で、簡単に洗濯できる枕で、耳を圧迫されずにテレビやラジオの音を聞ける昼寝枕を提供する。【解決手段】棒状の形状をした枕で、両端に留め具を設けて円形に曲げ、中央に穴のある環状の枕にし、顔を下向き、あるいは横向きにしても、鼻、耳などを圧迫せず、頭部を心地よく保持できるように構成する。枕体は二重袋状として形成する。二重袋体の内部袋体１は、伸縮可能なナイロンとポリウレタンの混合繊維（ナイロン８０％、ポリウレタン２０％）を用いた長さ６００ｍｍ、直径８０ｍｍの円柱状の袋体にし、直径０．７ｍｍのポリスチレンビーズを一杯に充填する。円柱状の袋体の一端に長い１０００ｍｍの細紐をつける。また内部袋体と同様にナイロンとポリウレタンの混合繊維で長さ１０００ｍｍ、直径８０ｍｍの円柱状、両端から２００ｍｍのところにゴムでの絞り部７を設けた外部袋体２に、前記の内部袋体１を挿入して該枕を構成する。【選択図】図１
0003157108.tif 000002
【実用新案登録請求の範囲】
【請求項１】
円柱状の形状で、ポリアミドとポリウレタンの混合繊維、又は不織布である袋体で、内部に微粒子状物を充填していることを特徴とする昼寝枕。
【請求項２】
円柱状の形状の枕は、直径４０ｍｍ〜１５０ｍｍ、長さ５００ｍｍ〜２０００ｍｍで、本体の形状を、丸、楕円、ハート形、渦巻き形に自由にできて、高さ４０ｍｍ〜１６０ｍｍになるようにしていることを特徴とする請求項１に記載の昼寝枕。
【請求項３】
枕の充填物は、０．３〜２ｍｍの粒径のポリスチレン粒子に、香気をもつ木材、又は植物の葉や花や実の粒子、叉は前記粒子に香料を付着させた粒子を部分的に含有させて、まわりのカバーを柔らかい素材の袋体内部に充填されていることを特徴とする請求項１〜請求項２のいずれかに記載の昼寝枕。
【請求項４】
袋体は、二重袋状であり、内部の袋体に粒子を充填して、柔らかい素材の布の袋体であるポリアミドとポリウレタンの混合繊維、又は不織布である袋体であって、外部の袋体に前記の内部袋体を装着して、天然繊維叉は化学繊維であり、両端の留め具として、ホック、両面テープ、結び紐にしていることを特徴とする請求項１〜３のいずれかに記載の昼寝枕。
【考案の詳細な説明】
【技術分野】
【０００１】
学生、サラリーマン、高齢者を問わず、昼寝は、健康促進、維持、あるいは夜間の睡眠に及ぼす影響などの点において、有用性が広く証明されているところであるが、本考案は、その昼寝をもっとも効果的に利用するために考案された枕に関するものであり、同時に、昼寝が市民権を獲得するための啓発のための枕に関するものである。
【０００２】
昼寝は年齢、職業によって多少の差はあるものの、いずれも１時間以内の短時間の午睡が有効とされることから、さわやかな目覚めのため嗅覚に働きかける要素も織り込んで考案された枕に関するものである。
【０００３】
更に携帯できること、置物として飾れるデザインであること、使用しない時には、椅子の背もたれなどにかけてクッションとしても使用が可能な枕に関するものである。
【背景技術】
【０００４】
快適な睡眠のための横臥枕やクッションの類は多数考案されているが、短い時間をうつ伏せの楽な姿勢で休むことができ、短い睡眠の後のさわやかな目覚めを意識したいわゆるお昼寝まくらを求める要望は非常に高い。
【０００５】
特許文献１、あるいは特許文献２に示すようなドーナツ形状の枕は存在するが、これは後頭部を固定し、指圧効果、血行推進を考慮されたものであり、うつ伏せに使用するのには適していない。
【０００６】
特許文献３、特許文献４に示すような棒状の枕、あるいはスポンジ体は存在するが、携帯することは考慮にいれられていない。そのため、持ち運びには不都合な大きさである。
【０００７】
特許文献５に示すような筒状袋体は存在し、優しい香りでそれなりの安眠を促す枕は存在し、それなりの効果はあげている。しかし、短時間の眠りの多様なスタイルへの対応、あるいは、さわやかな覚醒を促すという点での対応は考慮されていない。
【先行技術文献】
【特許文献】
【０００８】
【特許文献１】登録実用新案第３１１２０４０号
【特許文献２】特許公開２００６−２６３５５
【特許文献３】特許公開２００５−２１１６２５
【特許文献４】特許登録第４１１８１５１号
【特許文献５】登録実用新案第３０８５２５７号
【考案の概要】
【考案が解決しようとする課題】
【０００９】
昼寝が身体の睡眠のリズムを壊さず、もっとも身体に有効に働くためには、普通に横になって眠らないことが重要であり、机などにうつ伏せ状態、あるいは耳を下にした横向き状態で休むことが最も望ましい形である。
【００１０】
うつ伏せ状態、あるいは、顔を横向きにして休む状態においても、頭部をあてる方向には多様性があり、その多様性に柔軟に対応できることが課題とされている。
【００１１】
快適な短い午睡とさわやかな覚醒のための嗅覚からの情報も要望されている。  また、持ち運びに便利にできることも要望されている。
【課題を解決するための手段】
【００１２】
棒状の形状をした枕で、両端の留め具を利用することより、中央に穴のある環状の枕にすることができ、顔を下向き、あるいは横向きにしても、鼻、耳などを圧迫せず、頭部を心地よく保持できることを可能にした。
【００１３】
棒状の形状のまくらは、直径４０ｍｍ〜１５０ｍｍ、長さ５００ｍｍ〜２０００ｍｍであって、両端を接合具で接合すると円形状になり、頭をのせても形はしっかりしていて、表面は柔らかい素材で出来ている。
【００１４】
まくらの充填の中身はポリスチレンビーズで、粒子の直径約０．３〜２ｍｍであって、まわりのカバーを柔らかい素材の布の袋に充填されている。
柔らかい素材の布の袋は、ポリエステル、ポリアミドの化学繊維、あるいはこれらの混紡であって、両端の留め具として、ホック、両面テープ、結び紐にして、本体の形状を、耳を入れることができる穴として、丸、渦巻き、楕円、ハート形に自由にできて、高さ４０ｍｍ〜１５０ｍｍになるようにしている昼寝枕である。
【００１５】
枕の充填物は、０．３〜２ｍｍの粒径のポリスチレン粒子に、香気をもつ木材、植物の葉や花や実の粒子、叉は前記粒子に香料を付着させた粒子を部分的に含有させて、まわりのカバーを柔らかい素材の袋体内部に充填されていることが出来る。ポリスチレン粒子は、０．５〜１．５ｍｍ程度が望ましい。香気を持つ木材として、ヒノキ、スギ、モミ、楠、マツ、ニッケイ、ヒバ、ユウカリ、サンダルウッド、フランキンセンスなどである。植物の花や葉や実としてラベンダー、ローズ、ジャスミン、カモミール、ネロリ、マジョラム、メリッサ、クラリセージ、ベルガモットなどである。
【００１６】
袋体は、二重袋状であり、内部の袋体に粒子を充填して、柔らかい素材の布の袋体であるポリアミドとポリウレタンの混合繊維、又は不織布である袋体であって、外部の袋体に前記の内部袋体を装着して、天然繊維叉は化学繊維であり、両端の留め具として、ホック、両面テープ、結び紐にしている昼寝枕である。天然繊維として、綿、麻、絹、羊毛、化学繊維としてポリアミド、レーヨン、アクリル、ビニロン、ポリエステル、ポリウレタン、天然繊維と化学繊維の混合物などが使用できる。
【００１７】
本考案は、まくらの中央部分に穴を開け、横向きにねて、耳をまくらの穴部分に入れたとき、十分に入る大きさになっており、又、まくらに頭をのせたときに、つぶれて変形しすぎない程度の形を保つポリスチレンビーズ、または発泡ウレタンをまくらに使用するため、横を向いて寝たときも快適な昼寝を実現できる。携帯できるようにしている。さらに本願の円柱状の枕を２〜3本使用して昼寝枕としても使用できる。
【考案の効果】
【００１８】
上述の様に、児童、生徒、学生、サラリーマンなどが昼休みの昼寝において、10分〜２０分の就眠においては高校生の学力で向上している。またサラリーマンの午後の能力向上に休養するための昼寝でも有効であった。中高年の人においては、心臓病による突然死が減り、アルツハイマー病の予防になるとのデータもある。
【００１９】
さらに簡単に持ち運びに便利で、簡単に洗濯できる本考案のまくらは、横向きに寝たときに耳が圧迫されず、特に女性の方などは、下側になる目のまわりの肌のあたりも圧迫されないために、目じりのあたりにしわが出来にくい。又、イビキをかく人や腰痛の人が横向きに寝るときも楽である。
【図面の簡単な説明】
【００２０】
【図１】本考案の一実施例における昼寝枕の使用前図。
【図２】粒子充填した袋体（A）とその断面（B）。
【図３】外部袋体の形状図。
【図４】昼寝枕の使用状態図（Ａ）円形状、（Ｂ）渦巻き状、（Ｃ）ハート状、（Ｄ）首巻状
【考案を実施するための形態】
【００２１】
まくら本体の全体の形は、発泡ウレタン、あるいは、ポリスチレンビーズを使用し、やわらか過ぎず形を保つようにし、耳や顔がふれる部分は、肌にやさしい感じのやわらかさにする。
【実施例１】
【００２２】
内部袋体は、伸縮可能なナイロンとポリウレタンの混合繊維（ナイロン８０％、ポリウレタン２０％）を用いた長さ６００ｍｍ、直径８０ｍｍの円柱状の袋体にし、直径０．７ｍｍのポリスチレンビーズを一杯に充填した。重量として１３０ｇであった。円柱状の袋体の一端に長い１０００ｍｍの細紐をつけた。
【００２３】
また内部袋体と同様にナイロンとポリウレタンの混合繊維で長さ１０００ｍｍ、直径８０ｍｍの円柱状、両端から200ｍｍのところにゴムでの絞り部部を設けた外部袋体に、前記の内部袋体を挿入した。図4のＡ円形状の枕にした。なお内包材の内部袋体を出し入れが容易にできるようにした。この昼寝枕を使用して、高校の生徒50名に利用したところ、ほとんどの生徒が休憩時間に１０〜１５程度安眠ができ、非常に便利性を感じていた。
【実施例２】
【００２４】
内部袋体は、伸縮可能なナイロンとポリウレタンの混合繊維（ナイロン８０％、ポリウレタン２０％）を用いた長さ８００ｍｍ、直径８０ｍｍの円柱状の袋体にし、直径０．７ｍｍのポリスチレンビーズを一杯に充填した。重量として１３０ｇであった。円柱状の袋体の一端に長い１０００ｍｍの細紐をつけた。
【００２５】
また内部袋体と同様にナイロンとポリウレタンの混合繊維で長さ１２００ｍｍ、直径８０ｍｍの円柱状、両端から２００ｍｍのところにゴムでの絞り部分を設けた外部袋体に、前記の内部袋体とラベンダーの香料袋とを挿入した。図4のＣハート状の枕にした。なお内包材の内部袋体を出し入れが容易にできるようにした。この昼寝枕を使用して、女性ＯＬの5名に利用したところ、休憩時間に１０〜１５程度気持ちの良い安眠ができた。非常に便利なものに感じていた。簡単に持ち運びに便利で、簡単に洗濯できた。
【実施例３】
【００２６】
内部袋体は、伸縮可能なナイロンとポリウレタンの混合繊維（ナイロン８０％、ポリウレタン２０％）を用いた長さ８００ｍｍ、直径８０ｍｍの円柱状の袋体にし、直径０．７ｍｍのポリスチレンビーズを一杯に充填した。重量として１３０ｇであった。円柱状の袋体の一端に長い１０００ｍｍの細紐をつけた。
【００２７】
またタオル生地の綿繊維で長さ１０００ｍｍ、直径８０ｍｍの円柱状、両端から200ｍｍのところにゴムでの絞り部部を設けた外部袋体に、前記の内部袋体を挿入した。図４の円形状の枕にした。なお内包材の内部袋体を出し入れが容易にできるようにした。この昼寝枕を使用して、高校の生徒50名に利用したところ、ほとんどの生徒が休憩時間に１０〜１５程度安眠ができ、非常に便利性を感じていた。簡単に持ち運びに便利で、簡単に洗濯できた。
【実施例４】
【００２８】
内部袋体は、伸縮可能なナイロンとポリウレタンの混合繊維を用いた長さ６００ｍｍ、直径８０ｍｍの円柱状の袋体にし、直径０．７ｍｍのポリスチレンビーズを一杯に充填した。重量として１３０ｇであった。円柱状の袋体の一端に長い１０００ｍｍの細紐をつけ、また内部袋体と同様にナイロンとポリウレタンの繊維で長さ１０００ｍｍ、直径８０ｍｍの円柱状、両端から２００ｍｍのところにゴムでの絞り部部を設けた外部袋体に、前記の内部袋体を挿入した。
【００２９】
図4Ｄの首巻状の枕にした。なお内包材の内部袋体を出し入れが容易にできるようにした。この昼寝枕を使用して、車利用のサラリーマンに利用したところ、車内で休憩時間に１０〜１５程度安眠ができ、非常に便利性を感じていた。
【実施例５】
【００３０】
内部袋体は、伸縮可能なナイロンとポリウレタンとの混合繊維（ナイロン５０％、ポリウレタン５０％）を用いた長さ６００ｍｍ、直径８０ｍｍの円柱状の袋体にし、直径０．７ｍｍのポリスチレンビーズを一杯に充填した。重量として１３０ｇであった。円柱状の袋体の一端に長い１０００ｍｍの細紐をつけ、また内部袋体と同様にポリエステルの繊維で長さ１０００ｍｍ、直径８０ｍｍの円柱状、両端から２００ｍｍのところにゴムでの絞り部部を設けた外部袋体に、前記の内部袋体とユーカリの枝と葉の香料袋を挿入した。
【００３１】
図4の円形状の枕にした。なお内包材の内部袋体を出し入れが容易にできるようにした。この昼寝枕を使用して、高校の生徒５０名に利用したところ、ほとんどの生徒が休憩時間に１０〜１５程度安眠ができ、非常に便利性を感じていた。
【００３２】
まくらが耳を圧迫することなく音を聞くのにもちいることは勿論であるが、通常上向きに寝る枕として使用することも出来る。又、うつ伏せで寝る場合にも呼吸が楽に出来る。
【符号の説明】
【００３３】
１  内部袋体
２  外部袋体
３  粒子充填体（ポリスチレン粒子）
４  紐
５．枕本体
６．結び目
７．ゴム絞り部
【図１】
0003157108.tif 000003
【図２】
0003157108.tif 000004
【図３】
0003157108.tif 000005
【図４】
0003157108.tif 000006